(57)【要約】【課題】簡単な構成で、燃料消費量の節減、騒音の抑制、排ガスの削減を確実に図れるハイブリッド気動車を提供する。【解決手段】動輪Ｗを駆動するエンジンＥ、発電モータＭ、蓄電手段Ｂ、制御手段Ｃを備える気動車において、発進時には蓄電手段Ｂから発電モータＭへ給電して発電モータＭでエンジンＥの駆動を補助し、力行時には発電モータＭへの給電及び発電モータＭにおける発電を停止させ、ブレーキ時には発電モータＭで発電を行なって回生電力を蓄電手段Ｂに充電する。そして、発進時に蓄電手段Ｂから発電モータＭへ給電する駆動用電力量を、蓄電手段Ｂに充電した回生電力量から、気動車に付属する補機Ａの動作に必要とされる電力量を差し引いた余剰電力量を超えないように設定する。また、発電モータＭの回転軸Ｓ２とエンジンＥの駆動軸Ｓ１とを直結して一体回転するように接続する。【選択図】    図１
2010137691.tif 000002
【特許請求の範囲】
【請求項１】
動輪を駆動するエンジンと、発電機の機能と電動機の機能とを併せ持つ発電モータと、補機へ電力を供給するための蓄電手段と、蓄電手段から発電モータへの給電及び発電モータから蓄電手段への充電を制御する制御手段とを備える気動車において、
発電モータの回転軸とエンジンの駆動軸とが一体回転するように接続され、
前記制御手段は、気動車の発進時には蓄電手段から発電モータへ給電して発電モータがエンジンの駆動を補助し、気動車の力行時には蓄電手段から発電モータへの給電及び発電モータにおける発電を停止させ、気動車のブレーキ時には発電モータが発電を行なって回生ブレーキを作用させることにより発生した回生電力を蓄電手段に充電するよう動作すると共に、
発進時に蓄電手段から発電モータへ給電する駆動用電力量は、蓄電手段に充電した回生電力量から、気動車に付属する補機の動作に必要とされる電力量を差し引いた余剰電力量を超えないように設定されていることを特徴とするハイブリッド気動車。
【請求項２】
前記エンジンにおける駆動軸の一端側に動輪の駆動手段が接続され、当該駆動軸の他端側に発電モータの回転軸を直結させた請求項１に記載するハイブリッド気動車。
【請求項３】
前記制御手段と補機とがインバータを介して接続され、当該インバータの直流リンク部に前記蓄電手段を接続した請求項１又は２に記載するハイブリッド気動車。
【発明の詳細な説明】
【技術分野】
【０００１】
本発明は、エンジン（内燃機関）を動力源とする気動車において、発電機兼用のモータ（発電モータ）を備えたハイブリッド気動車に関し、詳しくは、エネルギ効率を向上させて、燃料消費量の削減を図るための技術に関する。
【背景技術】
【０００２】
ディーゼル機関等のエンジンを動力源とする気動車は、主として非電化区間で運転される。そのため、車両に設置される照明装置・空調装置・音声装置・通信装置・制御装置・動力機関用冷却装置・空気圧縮機（エアコンプレッサ）その他の電気機器（これらを総称して「補機」と言う）を動作させるには、別途、電池を搭載するか、あるいは、エンジンから電力を発生させることが必要である。
【０００３】
図６は、気動車における従来の動力システムの一例を概略的に示すものである。動力源であるエンジンＥの駆動軸Ｓ１の一端には、液体変速機等の変速機Ｔが接続され、変速機Ｔの推進軸Ｓ３に、減速機Ｇ等を介して動輪Ｗの車軸Ｓ４が接続される。また、エンジンＥの駆動軸Ｓ１の他端側には、定速回転装置を介して、発電機Ｆが接続されている。そして発電機Ｆから、各種電気機器である補機Ａへ、電力を供給するように構成されている。エンジンＥには、始動を補助するためのセルモータが付設され、このセルモータに電力を供給するための蓄電池が別途設けられる。
【０００４】
かかる構成の動力システムを備える従来の気動車は、発進時にはセルモータによる補助を受けてエンジンを始動させる。力行時は、エンジンＥに燃料を供給し、駆動軸Ｓ１を回転駆動することにより、変速機Ｔ・推進軸Ｓ３・減速機Ｇを通じ、車軸Ｓ４及び動輪Ｗを回転駆動し、気動車が所定の走行速度に達するまで加速する。惰行時は、エンジンへアイドリング運転するのに必要な最小限の燃料を供給する。ブレーキ時にエンジンブレーキを使用する際は、エンジンへの燃料供給を停止する。
【０００５】
前記従来の気動車では、補機用電力を得るため、エンジンＥの駆動軸Ｓ１で、定速回転装置を介し、発電機Ｆの回転軸を一定速度で回転させて発電させている。つまり、補機を動作させるには、常時、発電機Ｆを回転駆動しなくてはならない。このため、気動車が駅に停車したときも、エンジンＥを停止させずにアイドリング運転する必要があるから、燃料の消費量が多くなる。その上、アイドリングにより、停車駅のプラットホームに居る乗客に対し、排ガスや騒音の悪影響を及ぼすという問題がある。さらに、力行時にもエンジン出力の一部を発電機Ｆの駆動に使用するから、加速力の低下を招く。加速力の低下は、一般に、必要な加速時間を増大させて、エネルギ効率の悪化をもたらす。
【０００６】
従来の気動車における前記問題点を解決するため、ブレーキに回生ブレーキを用い、ブレーキ時に発生させた回生電力を補機に供給したり、推進力に利用することで、エネルギ効率を向上させ、省燃料化を図ることが特許文献１，２で提案されている。特許文献１には、エンジン、発電機兼用モータ、及び蓄電器を備えるハイブリッド気動車について記載され、特許文献２には、エンジン、発電機兼用モータ、及びバッテリを備えるハイブリッド自動車について記載されている。
【０００７】
【特許文献１】特開平１０−４２４０７号公報
【特許文献２】特開２００５−９４８６５号公報
【発明の開示】
【発明が解決しようとする課題】
【０００８】
特許文献１，２に記載された従来の技術は構成が複雑であり、現行の気動車への適用が難しい。本発明は、より簡単な構成で、燃料消費量の節減、騒音の抑制、排ガスの削減を確実に図れるハイブリッド気動車の提供を目的とする。
【課題を解決するための手段】
【０００９】
前記の目的を達成するために、本発明が採用したハイブリッド気動車の特徴とするところは、請求項１に記載するように、動輪を駆動するエンジンと、発電機の機能と電動機の機能とを併せ持つ発電モータと、補機へ電力を供給するための蓄電手段と、蓄電手段から発電モータへの給電及び発電モータから蓄電手段への充電を制御する制御手段とを備える気動車において、発電モータの回転軸とエンジンの駆動軸とが一体回転するように接続され、前記制御手段は、気動車の発進時には蓄電手段から発電モータへ給電して発電モータがエンジンの駆動を補助し、気動車の力行時には蓄電手段から発電モータへの給電及び発電モータにおける発電を停止させ、気動車のブレーキ時には発電モータが発電を行なって回生ブレーキを作用させることにより発生した回生電力を蓄電手段に充電するよう動作すると共に、発進時に蓄電手段から発電モータへ給電する駆動用電力量は、蓄電手段に充電した回生電力量から、気動車に付属する補機の動作に必要とされる電力量を差し引いた余剰電力量を超えないように設定されていることである。
【００１０】
前記ハイブリッド気動車において、請求項２に記載する如く、前記エンジンにおける駆動軸の一端側に動輪の駆動手段を接続し、当該駆動軸の他端側に発電モータの回転軸を直結させる構成を採用することが望ましい。ここで、動輪の駆動手段とは、エンジンの駆動軸に接続される変速機、変速機の推進軸に接続される減速機、動輪が接続される車軸等である。
【００１１】
さらに前記ハイブリッド気動車において、請求項３に記載する如く、前記制御手段と補機とをインバータを介して接続し、当該インバータの直流リンク部に前記蓄電手段を接続する構成を採用することが可能である。
【発明の効果】
【００１２】
本発明に係るハイブリッド気動車は、発進時には、エンジンに燃料を供給してエンジンを始動させると共に、発電モータに給電してエンジン駆動を補助するので、発進時における燃料消費量を削減することができる。その結果、発進時における排ガス及び騒音が低減化する。また、エンジンと発電モータとを協働させて気動車を発進させるので、発電モータの必要出力を抑えることができる。エンジンを使用せずに、モータ駆動のみで発進させることが従来提案されているが、この場合は、出力の大きいモータを用いるか又は変速機を取り付ける必要がある。本発明によれば、大出力のモータも変速機も不要なので、コストを低く抑えられる。なお、補機への給電は、蓄電手段から行なわれる。
【００１３】
気動車の力行はエンジンのみで行い、発電モータでエンジン駆動を補助することも、反対に、発電モータでの発電も行なわないように設定したことにより、エネルギ効率を向上させることができる。蓄電手段から補機へ電気エネルギを伝達する場合、損失が非常に少ないのに比べて、蓄電手段の電気エネルギをモータで運動エネルギに変換するときの伝達効率（約８０％）は低い。また、エンジンで発電モータを駆動して電気エネルギに変換する効率（約７８％）に比べて、エンジン出力をそのまま運動エネルギとして利用する効率（約９０％）は高い。従って、蓄電手段に貯蔵した電気エネルギはできるだけ補機に使用し、エンジン出力はできるだけ推進力に使用する方が、エネルギ効率の向上につながる。このような考え方に基づき、本発明では、力行時において、発電モータでの発電を行なわず、補機への給電を蓄電手段で行うように設定した。これににより、エンジン出力の全部を推進力に使用できるので、加速力の低下を招くおそれがなく、燃料の利用効率を高めることができる。
【００１４】
本発明では、回生ブレーキ時に発電モータで発電を行なわせて蓄電手段に充電した回生電力量から、補機の動作に必要とされる電力量を差し引いた、余剰電力量を超えない範囲で、気動車の発進時に蓄電手段から発電モータへ給電する駆動用電力量を設定した。これにより、補機の動作電力を回生電力だけで確保することができる。それ故、発電モータによる発電は気動車の回生ブレーキ時に限定して行なわせ、燃料を消費するエンジン駆動時には発電を行なわないように設定することが可能なので、燃料の使用効率が向上する。また、回生電力の範囲で補機を動作させるから、気動車の停車時に、発電モータで発電を行なう必要がなくなり、アイドリング運転が不要となる。その結果、停車時における排ガスも騒音も無くせるので、乗客に与える悪影響・不快感を解消できる。
【００１５】
なお請求項２に記載する如く、エンジンにおける駆動軸の一端側に動輪の駆動手段を接続し、他端側に発電モータの回転軸を直結させる構成を採用することにより、エンジンの駆動軸と発電モータの回転軸とを一体回転可能な構造とするのが容易になると共に、エンジンの一方側に駆動系統を集中して配置し、他方側に電気系統を集中して配置することができるから、動力システムを車両へ組み付ける際のレイアウトが簡単になる。
【００１６】
さらに、請求項３に記載する如く、補機に接続されるインバータの直流リンク部に蓄電手段を接続する構成を採用することにより、蓄電手段に作用する負荷又は電圧の大きさに応じ、補機・制御手段・蓄電手段の三者間における通電方向が自動的に決定される。従って、蓄電手段における放電又は充電の切替を、簡単な回路構成で実施できる。
【発明を実施するための最良の形態】
【００１７】
図１に、本発明に係るハイブリッド気動車の動力システムの一例を示す。本例の動力システムは、動力源であるエンジンＥの駆動軸Ｓ１の一端に、液体変速機等の変速機Ｔが接続され、変速機Ｔの推進軸Ｓ３に、減速機Ｇ等を介して動輪Ｗの車軸Ｓ４が接続される。エンジンＥは、ディーゼル機関が一般的であるが、他の内燃機関も可能である。
【００１８】
エンジンＥの駆動軸Ｓ１の他端側には、適宜の連結手段Ｊにより、発電モータＭの回転軸Ｓ２が接続される。発電モータＭは、電力が供給されると回転軸Ｓ２を回転駆動するモータの機能を発揮し、回転軸Ｓ２が外部入力により回転駆動されると電力を発生させる発電機の機能を発揮するものである。モータとしての出力及び発電機としての容量は、気動車の運転条件やエンジンＥの出力等に基づいて適宜選択される。エンジンＥの駆動軸Ｓ１と発電モータＭの回転軸Ｓ２とは、一体回転するように連結される。駆動軸Ｓ１と回転軸Ｓ２との間に、両者の連結を断続するクラッチを設けることも考えられるが、その場合、部材点数が多くなって機構が複雑化し、メンテナンスが必要となる等の不具合が生じる。
【００１９】
発電モータＭには制御手段Ｃが電気的に接続され、制御手段Ｃには、気動車に設置される各種電気機器である補機Ａへ電力を供給するためのインバータＩ、及び、蓄電手段Ｂが接続される。制御手段Ｃは、蓄電手段Ｂから発電モータＭへ給電したり、あるいは発電モータＭで生成した電力を蓄電手段ＢやインバータＩを介して補機Ａへの供給したりするのを制御するためのものであり、場合に応じ発電モータＭとの間の電気的接続を切断して、発電モータＭに発電も電動も実行させないようにする。制御手段Ｃには、整流器あるいはインバータが備えられる。蓄電手段Ｂは、回生電力を充分に吸収できる容量を備えることが必要であり、リチウムイオン電池・リチウムポリマー電池・ニッケルカドミウム電池・鉛蓄電池等の二次電池を用いるのが望ましい。また、キャパシタで蓄電手段Ｂを構成することも考えられる。蓄電手段Ｂ又は発電モータＭから供給される電力を、各種電気機器である補機Ａへ、適切な状態に変換して送給するためのインバータＩには、本例ではＳＩＶ（静止型インバータ）を用いた。
【００２０】
なお本例では、制御手段ＣとインバータＩとを連絡する直流リンク部の途中に、蓄電手段Ｂを接続し、制御手段Ｃにより、蓄電手段Ｂに対する負荷又は電圧の大きさを制御することにより、通電方向が自動的に決定される構成を採用してある。すなわち、発電モータＭが発電を行ない制御手段Ｃ側の電圧が高くなると、蓄電手段Ｂに充電がなされ、発電モータＭを駆動するため制御手段Ｃ側で電力が消費されるときは、蓄電手段Ｂから放電がなされるように構成されている。
【００２１】
上に述べた動力システムは、従来の気動車と構成を共通化できる部分が多いので、従来の車両を改良して適用することが可能であり、新造する場合と比べ、はるかに低コストで実現できる。また、全体の機器構成は比較的簡素であるから、製造コストの増大を抑えることができ、小型化・軽量化が容易なので、本発明を適用したことにより気動車の走行性能を損うこともない。
【００２２】
前記の如く構成された本発明に係るハイブリッド気動車の運転状況を、図２〜４を参照して説明する。気動車の停車時は、エンジンＥも発電モータＭも停止させ、蓄電手段Ｂから補機Ａへ必要な電力を供給する。従って、このとき消費されるエネルギは、蓄電手段Ｂから補機へ給電される補機の動作用電力のみである。なお、エンジンＥ及び発電モータＭが停止していることにより、騒音も排ガスも発生させない利点が得られる。
【００２３】
図２の図（Ａ）に示す如く、気動車の発進時は、エンジンＥに燃料を供給して始動させると共に、蓄電手段Ｂから、補機Ａへの給電と平行して、発電モータＭへも給電し、発電モータＭの回転軸Ｓ２で、エンジンＥの駆動軸Ｓ１の回転駆動を補助する。これにより、気動車は走行を開始し加速を始める。このときの気動車の加速は発電モータＭで補助されるから、エンジンＥにおける燃料消費量が節減され、排ガスも騒音も低減化する。
【００２４】
発進時における発電モータＭへの給電量は、後述する回生ブレーキ時に蓄電手段Ｂが充電した回生電力量から、補機Ａの動作を維持するのに必要とされる電力量を差し引いた、残りの余剰電力量を超えない範囲とする。補機消費電力量は、気動車の種類や運転条件等に基づいてほぼ正確に予測されるから、発電モータＭに供給し得る余剰電力量も容易に決定することができる。
【００２５】
発進後、発電モータＭへの給電量が前記余剰電力量に基づく所定値に達したならば、図２の図（Ｂ）に示す如く、エンジンＥのみの駆動による力行運転へ移行する。このとき、制御手段Ｃは、発電モータＭと蓄電手段Ｂとの電気的接続を切断し、発電モータＭへの給電も、発電モータＭでの発電も行なわれないように設定する。補機Ａへの給電を蓄電手段Ｂで行なうことにより、エンジンＥの出力全部を気動車の推進に使用することができるから、燃料の消費効率に優れる。なお余剰電力量に余裕が有る場合は、力行時も発電モータＭによるエンジン補助を行なうことを妨げない。
【００２６】
気動車が所定速度に達したならば、図３の図（Ａ）に示すように惰行運転へ移行する。このとき、エンジンＥには、アイドリング運転に必要な最小限の燃料が供給されるだけである。補機Ａへの給電は蓄電手段Ｂから行ない、発電モータＭは、原則として、電動も発電も行なわない。但し、気動車の運転スケジュールによって、惰行時に若干の減速が許容される場合には、発電モータＭで発電を行なわせることも妨げない。
【００２７】
惰行運転での走行後、停車駅まで所定距離の位置に到達したならば、図３の図（Ｂ）に示す如く、回生ブレーキを作用させる。すなわち、エンジンＥの駆動軸Ｓ１で発電モータＭの回転軸Ｓ２を回転駆動することにより、発電モータＭで発電を行なわせ、そのときに生じる抵抗力を気動車の制動力として用いる。そして、発電モータＭが発生させた回生電力の一部を補機Ａへ供給し、残りの大部分を蓄電手段Ｂに充電する。なお、気動車を目標位置へ正確に停止させるため、エンジンブレーキや空制ブレーキ等が普通は併用される。
【００２８】
図４は、前述した本発明ハイブリッド気動車の運転状況と、電力の消費・発電の状況とを併せてグラフ化したものである。当該グラフは、気動車が２つの駅間を走行する場合を抜き出して示すものであり、上段に気動車の発進からブレーキによる停車に至るまでの速度変化、下段に電力の消費量及び発電量の推移を示してある。なお本例では、気動車が発進してから一定速度（例えば時速２０ｋｍ）に達するまでの加速時間帯を「発進時」、その後、目標最高速度（例えば時速１００ｋｍ）に達するまでの加速時間帯を「力行時」、目標最高速度に到達した後の非加速（惰性）運転時間帯を「惰行時」、ブレーキを作用させて停車するまでの時間帯を「ブレーキ時」と区画してある。
【００２９】
グラフに明示する如く、補機の動作に必要な電力は、気動車の運転状況に関わりなく、常に消費される。駅間走行中に補機が消費する電力の総量は、気動車の種類や運転状況に基づき、容易に予測することができる。（これを補機消費電力量＝Ｈ１とする。）
本発明では、気動車の発進時にのみ発電モータＭへ給電して、エンジンＥの駆動を補助する。（この給電量を駆動用電力量＝Ｈ２とする。）
力行時はエンジンＥの出力のみで加速し、惰行時はエンジンＥを最小限の燃料でアイドリング運転する。力行時及び惰行時のいずれの場合も、発電モータＭへの給電及び発電モータＭにおける発電は行なわれない。
ブレーキ時には、発電モータＭにより回生ブレーキを作用させる。このとき発生する回生電力のうち、一部（Ｈ１ａ）は補機へ給電され、残りの大部分（Ｈ３）は蓄電手段Ｂに充電される。すなわち利用可能な回生電力の総量は、Ｈ１ａ（回生発電時の補機給電量）＋Ｈ３（蓄電手段Ｂの充電量）となる。
【００３０】
上に述べた如く、本発明のハイブリッド気動車における電力の消費は、補機動作用電源と、発進時における発電モータＭの駆動とだけである。よって総消費量はＨ１＋Ｈ２となる。
他方、発電モータＭにおける発電は回生ブレーキ時のみに行なわれ、利用可能な回生電力量はＨ１ａ＋Ｈ３である。
回生電力の一部Ｈ１ａは、補機が消費する電力全体Ｈ１の一部として使用されるので、発電モータＭの駆動に利用可能な電力量Ｈ２は、蓄電手段Ｂに充電される回生電力量Ｈ３から、回生発電時以外の時間帯において補機が消費する電力量（Ｈ１−Ｈ１ａ）を差し引いた、残りの余剰電力量Ｈ４（＝Ｈ３−［Ｈ１−Ｈ１ａ］）となる。従って、発電モータＭの駆動用電力量Ｈ２が余剰電力量Ｈ４を超えないように設定（Ｈ４≧Ｈ２）することにより、蓄電手段Ｂに貯えた回生電力だけで、補機の動作用電力を確保することが可能となる。
その結果、回生ブレーキの動作時以外に、発電モータＭで発電を行なわせる必要が無くなるから、エンジンＥの出力全部を気動車の推進力に使用することができるので、燃料の利用効率が向上する。また、発進時には、余剰電力で発電モータＭを駆動して、エンジンＥ出力を補助するから、加速性能を損なわずに燃料消費量を節減することが可能である。
【００３１】
なお、余剰電力が多い場合は、それだけ発進時における発電モータＭの駆動時間を長くできるから、より一層の燃料消費量の節減と、加速性能向上の効果とが得られる。
【００３２】
図５は、図１に示す動力システムを備えた本発明に係る気動車と、図６に示す現行の気動車とで、２つの駅間を同じ走行曲線となるように運転した場合における燃料消費量を比較したグラフである。
運転条件は、キハ１２１形の気動車（車両重量は等しいものとする）を用い、駅間距離４ｋｍ、最高速度１００ｋｍ／ｈ。運転時間１９５秒、駅到着後の停車時間４５秒、補機消費電力量２０ｋＷとした。
【００３３】
図５のグラフから、本発明気動車は、現行気動車に比べて、発進時から最高速度に達するまでの力行時及び惰行運転時を通じ、燃料消費量を節減できることが分かる。この燃料消費量の差異は、次のような理由による。本発明気動車にあっては、発進時から惰行時までの間、補機への給電は蓄電手段で行なう。発進時に発電モータでエンジン駆動を補助しており、力行時はエンジン出力の全部を推進力に使用することができ、惰行時の燃料消費量はアイドリング運転に必要な最小限にとどめられる。これに対し、現行気動車は、発進時から停車時に至るまで、常にエンジン出力の一部を発電に使用するので、それだけ余分に燃料を消費する。さらに駅停車時において、本発明気動車では補機への給電を蓄電手段で行なうから、エンジン及び発電モータを停止させることができ、よって燃料の消費がなされないのに対し、現行気動車は、補機給電のためエンジンを駆動するアイドリング運転を必要とするから燃料消費を伴う。
以上のような差異に基づき、本発明気動車は、現行気動車に比べて、約２０％程度の燃料節減を達成できる。
【図面の簡単な説明】
【００３４】
【図１】本発明に係るハイブリッド気動車の動力システムの構成を概略的に示す平面図である。
【図２】本発明に係るハイブリッド気動車の動力システムの構成を概略的に示す平面図であって、図（Ａ）は発進時の動作状況、図（Ｂ）は力行時の動作状況を説明するものである。
【図３】本発明に係るハイブリッド気動車の動力システムの構成を概略的に示す平面図であって、図（Ａ）は惰行時の動作状況、図（Ｂ）はブレーキ時の動作状況を説明するものである。
【図４】本発明に係るハイブリッド気動車の運転状況の一例、及び、電力の消費及び発電の推移状況の一例を示すグラフである。
【図５】本発明気動車と現行気動車の燃料消費状況を比較して示すグラフである。
【図６】従来の気動車（現行気動車）における動力システムの構成を概略的に示す平面図である。
【符号の説明】
【００３５】
Ａ  補機
Ｂ  蓄電手段
Ｃ  制御手段
Ｅ  エンジン
Ｇ  減速機
Ｉ  インバータ
Ｊ  連結手段
Ｍ  発電モータ
Ｓ１  駆動軸
Ｓ２  回転軸
Ｓ３  推進軸
Ｓ４  車軸
Ｔ    変速機
Ｗ    動輪
【図１】
2010137691.tif 000003
【図２】
2010137691.tif 000004
【図３】
2010137691.tif 000005
【図４】
2010137691.tif 000006
【図５】
2010137691.tif 000007
【図６】
2010137691.tif 000008